(57)【要約】【課題】主回路配線がケースの底面に対して平行方向および垂直方向のどちらの場合でも接続でき、接続作業性が向上することができる回路遮断器を提供する。【解決手段】締付螺子３が螺合する入力側端子板４および出力側端子板５を両端部に有したケース１と、このケース１の各端子板４、５に載置されて締付螺子３によって各端子板４、５に接続される端子接続部１１を有し、この端子接続部１１からケース１の裏面側に延出する形に連設されて主回路配線２２を接続する配線接続部１２を有する接続部材２とを備えた回路遮断器において、配線接続部１２は、延出方向に垂直な接続孔１３が形成されるとともに、先端部の延出方向にナット部材が螺合する雄螺子１５が形成される。【選択図】        図１
2005071811.tif 000002
【特許請求の範囲】
【請求項１】
締付螺子が螺合する入力側端子板および出力側端子板を両端部に有したケースと、このケースの各端子板に載置されて前記締付螺子によって前記各端子板に接続される端子接続部を有しこの端子接続部から前記ケースの裏面側に延出する形に連設されて主回路配線を接続する配線接続部を有する接続部材とを備えた回路遮断器において、
前記配線接続部は、延出方向に垂直な接続孔が形成されるとともに、先端部の前記延出方向にナット部材が螺合する雄螺子が形成されたことを特徴とする回路遮断器。
【請求項２】
前記ケースの上面に、主接点を開閉操作するハンドルが挿通されたハンドル凸部を形成し、前記端子板から前記雄螺子の基端までの長さを前記端子板から前記ハンドル凸部の基端までの長さと略同一とした請求項１記載の回路遮断器。
【請求項３】
前記ケースに前記接続部材を塞ぐカバーを取着した請求項１または請求項２記載の回路遮断器。
【発明の詳細な説明】
【技術分野】
【０００１】
本発明は、ケースの裏面側に配設された主回路配線に接続される略L字状の接続部材を、入力側端子板および出力側端子板に接続した回路遮断器に関するものである。
【背景技術】
【０００２】
従来例として、特許文献１に示すものが存在する。このものは、締付螺子が螺合する入力側端子板および出力側端子板を両端部に有したケースと、このケースの各端子板に載置されて前記締付螺子によって前記各端子板に接続される端子接続部を有しこの端子接続部から前記ケースの裏面側に延出する形に連設されて主回路配線を接続する配線接続部を有して、前記端子接続部および前記配線接続部により略L字状に形成された接続部材とを備えている。
【０００３】
ここで、接続部材は板状であり、その配線接続部は、端子接続部から厚み方向に折曲された板面に端子螺子をねじ込む接続孔が形成されており、端子螺子により主回路配線を接続することができるようになっている。
【０００４】
しかしながら、端子螺子を取着する面がねじ孔にのみ限定されているため、例えばバーからなる主回路配線がケースの底面に対して平行方向に延出されたときには接続することができず、接続作業性が悪いという問題があった。
【特許文献１】特開平11−297179号公報（実施例3）
【発明の開示】
【発明が解決しようとする課題】
【０００５】
本願発明は、上記背景技術に鑑みて発明されたものであり、その課題は、主回路配線がケースの底面に対して平行方向および垂直方向のどちらの場合でも接続でき、接続作業性が向上することができる回路遮断器を提供することにある。
【課題を解決するための手段】
【０００６】
この発明の回路遮断器は、締付螺子が螺合する入力側端子板および出力側端子板を両端部に有したケースと、このケースの各端子板に載置されて前記締付螺子によって前記各端子板に接続される端子接続部を有しこの端子接続部から前記ケースの裏面側に延出する形に連設されて主回路配線を接続する配線接続部を有する接続部材とを備えた回路遮断器において、
前記配線接続部は、延出方向に垂直な接続孔が形成されるとともに、先端部の前記延出方向にナット部材が螺合する雄螺子が形成されたことを特徴とするものである。
【０００７】
上記構成において、前記ケースの上面に、主接点を開閉操作するハンドルが挿通されたハンドル凸部を形成し、前記端子板から前記雄螺子の基端までの長さを前記端子板から前記ハンドル凸部の基端までの長さと略同一としている。
【０００８】
上記構成において、前記ケースに前記接続部材を塞ぐカバーを取着している。
【発明の効果】
【０００９】
この発明の回路遮断器によれば、配線接続部の接続孔よりも先端側にナット部材が螺合する雄螺子が形成されているので、例えば主にバーからなる主回路配線がケースの底面に対して平行方向または垂直方向のいずれかにあっても接続でき、接続作業性が向上する。
【００１０】
また、ケースの上面に、主接点を開閉操作するハンドルが挿通されたハンドル凸部を形成し、端子板から雄螺子の基端までの長さを端子板からハンドル凸部の基端までの長さと略同一としたため、接続部材の配線接続部がケースの底部と反対向きに立つように端子接続部を端子板に接続し、ハンドル凸部の基端に沿ってプリント基板を配置し雄螺子で電気的に接続し、ケースとプリント基板とをパターンがない位置で接続することができる。
【００１１】
さらに、ケースに接続部材を塞ぐカバーを取着したため、接続部材の絶縁が図れる。
【発明を実施するための最良の形態】
【００１２】
この発明の一実施の形態を図１から図８により説明する。すなわち、この発明の回路遮断器は、図１に示すようにケース１と、接続部材２を有する。
【００１３】
ケース１は締付螺子３が螺合する入力側端子板４および出力側端子板５を両端部に有する。実施の形態のケース１は３極用であり、両端面より端子部３６を突出し、内部に開閉・トリップ機構（図示せず）および漏電遮断のための手段（図示せず）を収納している。ケース１の上面に、主接点（図示せず）を開閉・トリップ機構を介して開閉操作するハンドル６が挿通されたハンドル凸部７を形成している。ハンドル凸部７には漏電テストボタン８が突出し漏電表示部９が出没自在に設けられている。また底部にはたとえばＤＩＮレール等のレール取付用の係合部１０が設けられている。端子板４、５は内端がケース１内に延び、入力側端子板４は例えば主接点の固定接点に接続され、出力側端子板５はトリップ機構を引外しする異常電流検出手段の例えばオイルダッシュポットのコイルに接続され、コイルと、主接点の可動接触子とが可撓電線等の電路導体（図示せず）で接続されて端子間の電路を形成し、可撓電線を例えば漏電検出手段である零相変流器（図示せず）に貫通している。漏電遮断のための手段の動作により主接点の強制開極と漏電表示部９の動作が行われ、またテストボタン８の操作により漏電テストが行われる。端子板４、５にはねじ孔が形成されるか、端子板４、５に挿通孔を形成して端子板４、５の下側にナットを収納している。端子螺子３には押さえ座金１７が挿通されている。
【００１４】
接続部材２は、ケース１の各端子板４、５に載置されて締付螺子３によって各端子板４、５に接続される端子接続部１１を有し、この端子接続部１１からケース１の裏面側に延出する形に連設されて主回路配線２２（図３）を接続する配線接続部１２を有する。接続部材２は端子接続部１１および配線接続部１２により略Ｌ字状に形成され、配線接続部１２は、延出方向に垂直な接続孔１３が形成されるとともに、先端部の延出方向にナット部材１４が螺合する雄螺子１５が形成されている。実施の形態において、接続部材２は板状であり、端子接続部１１と配線接続部１２が板厚方向に折曲されて形成され、厚み方向で折曲した面にねじ孔または挿通孔の接続孔１３を形成している。また端子接続部１１にはねじ挿通孔１６を形成している。雄螺子１５は配線接続部１２の先端部を細幅に形成し、その両側にねじ山を形成している。
【００１５】
図２は接続部材２を端子板５に接続した状態であり、端子接続部１１が端子板５と押さえ座金１７との間に挿入され、端子螺子３がねじ挿通孔１６に挿通され締付けられている。このとき、端子板４、５から雄螺子１５の基端までの長さを端子板４、５からハンドル凸部７の基端までの長さと略同一としている。
【００１６】
また、ケース１に接続部材２を塞ぐカバー１８を取着している。カバー１８はケース１の端子ねじ３の上方を被覆する上面部１９と、ケース１の側面および配線接続部１２を被覆する側面部２０を有する。上面部１９の両側に軸支持部２７を設け、相対向する軸２８を軸支持部２７のそれぞれに突出するとともに位置決め孔２９を形成している。一方ケース１の両端面３０の両側に凹み部３１を形成し、凹み部３１に軸２８が嵌合する軸受け凹部３５を形成し、その近傍に位置決め孔２９が係脱自在に嵌合してカバー１８の閉じた状態を位置決めする位置決め突起３２と、カバー１８が開いた状態を位置決めする位置決め突起３３を設けている。カバー１８の軸支持部２７を互いに反対向きに開いて軸２８を軸受け凹部３５に着脱自在に嵌合し、位置決め孔２９を位置決め突起３２または３３に係脱自在に係合することにより、カバー１８を開位置または閉位置に保持することができる。３４は端子螺子３の上方に設けた孔であり、カバー１８を閉じたままで、端子螺子３の状態を監視するほか、例えば孔３４にドライバを挿通して端子螺子３を操作することも可能である。
【００１７】
図３および図４はケース１の底面に垂直な主回路配線２２を接続部材２に接続した状態である。主回路配線２２の端部が配線接続部１２に重ねられ、主回路配線２２の挿通孔が接続孔１３に重ねられ、ばね座金４０を通した接続螺子４１を挿通孔に通して接続孔１３に螺合するとともにナット４２により締めつける。
【００１８】
図５および図６はケース１の底面に平行な主回路配線２３を接続部材２に接続した状態である。主回路配線２３の端部の挿通孔が配線接続部１２の雄ねじ１５に挿通され、その根元部に支持され、ナット部材１４により締めつけて接続している。
【００１９】
図７および図８は、配線接続部１２がケース１の裏面と反対向きに立った状態である。上記したように、ケース１の上面に、主接点を開閉操作するハンドル６が挿通されたハンドル凸部７を形成し、端子板４、５から雄螺子１５の基端までの長さを、端子板４、５からハンドル凸部７の基端までの長さと略同一としている。このため、ハンドル凸部７の基端すなわち回路遮断器の上面１ｂをプリント基板２５に当接し、雄螺子１５をプリント基板２５に貫通しナット２６で締付けている。これにより、回路遮断器をプリント基板２５に電気的に接続するとともに機械的にも接続している。この場合、ハンドル凸部７がプリント基板２５の反対側に突出するので、ハンドル６およびテストボタン８の操作が可能である。
【図面の簡単な説明】
【００２０】
【図１】この発明の一実施の形態の要部分解斜視図である。
【図２】全体の外観斜視図である。
【図３】垂直な主回路配線に接続した状態の正面図である。
【図４】その側面図である。
【図５】平行な主回路配線に接続した状態の正面図である。
【図６】その側面図である。
【図７】プリント基板に接続した状態の正面図である。
【図８】その側面図である。
【符号の説明】
【００２１】
１    ケース
２    接続部材
３    締付螺子
４    入力側端子板
５    出力側端子板
６    ハンドル
７    ハンドル凸部
１１    端子接続部
１２    配線接続部
１３    接続孔
１４    ナット部材
１５    雄螺子
１６    ねじ挿通孔
１８    カバー
２２    主回路配線
２３    主回路配線
２５    プリント基板
４１    接続螺子
４２    ナット
【図１】
2005071811.tif 000003
【図２】
2005071811.tif 000004
【図３】
2005071811.tif 000005
【図４】
2005071811.tif 000006
【図５】
2005071811.tif 000007
【図６】
2005071811.tif 000008
【図７】
2005071811.tif 000009
【図８】
2005071811.tif 000010